(57)【要約】      （修正有）【課題】印刷データのプルプリンティングにおけるユーザ認証を、簡易かつ確実に実現する。【解決手段】出力装置３００は、印刷情報を受信すると、データ送信端末装置２００と同期して、その中に含まれるデータサーバ４００の電話番号にダイヤルアップ接続し、公衆電話回線１００を介して、データサーバ４００にコネクションＩＤを送信する。データサーバ４００は、公衆電話回線１００を介して、データ送信端末装置２００および出力装置３００の電話番号を取得し、いずれかの電話番号がデータサーバ４００に登録されている電話番号と一致し、かつ受信した２つの印刷情報にそれぞれ含まれる電話番号が一致し、かつ該２つの印刷情報にそれぞれ含まれるコネクションＩＤが一致したときに、該２つの印刷情報のいずれかに含まれる印刷データ識別子によって示される印刷データを読み出して、出力装置３００に送信する。【選択図】    図１
2005004432.tif 000002
【特許請求の範囲】
【請求項１】
情報処理装置であって、
公衆電話回線に接続する第１の接続手段と、
出力装置と識別子を共有することにより接続する第２の接続手段と、
前記第２の接続手段によって接続された出力装置に、データを提供するデータサーバへ接続するための電話番号である第１の電話番号と、該データサーバに格納されている目的のデータを識別するデータ識別子と、前記情報処理装置自体の電話番号である第２の電話番号とを送信する送信手段と、
前記第１の電話番号に基づいて前記第１の接続手段を介して接続を行い、前記データサーバにアクセスするアクセス手段と、
該アクセス手段によって前記データサーバにアクセスした後、該データサーバに前記識別子を通知する通知手段と
を有することを特徴とする情報処理装置。
【請求項２】
前記出力装置は、前記送信手段により送信された前記第１の電話番号に基づいて公衆電話回線を介して前記データサーバにアクセスし、該データサーバにアクセスした後、該データサーバに前記識別子、前記データ識別子および前記第２の電話番号を通知することを特徴とする請求項１に記載の情報処理装置。
【請求項３】
前記データサーバは、公衆電話回線を介して接続された情報処理装置の電話番号と公衆電話回線を介して接続された出力装置から通知された電話番号とが一致し、当該情報処理装置から通知された識別子と当該出力装置から通知された識別子とが一致した場合、当該出力装置から通知された前記データ識別子によって識別されるデータを当該出力装置に向けて送信することを特徴とする請求項２に記載の情報処理装置。
【請求項４】
公衆電話回線に接続する第１の接続手段と、
情報処理装置と、識別子を共有することにより接続する第２の接続手段と、
前記第２の接続手段によって接続された情報処理装置から、データを提供するデータサーバへ接続するための電話番号である第１の電話番号と、該データサーバに格納されている目的のデータを識別するデータ識別子と、前記情報処理装置自体の電話番号である第２の電話番号とを受信する受信手段と、
前記受信手段により受信された前記第１の電話番号に基づいて前記第１の接続手段を介して接続を行い、前記データサーバにアクセスするアクセス手段と、
前記アクセス手段によって前記データサーバにアクセスした後、該データサーバに前記識別子、前記データ識別子および前記第２の電話番号を通知する通知手段と
を有することを特徴とする出力装置。
【請求項５】
前記情報処理装置は、前記第１の電話番号に基づいて公衆電話回線を介して前記データサーバにアクセスし、該データサーバにアクセスした後、該データサーバに前記識別子を通知することを特徴とする請求項４に記載の出力装置。
【請求項６】
前記データサーバは、公衆電話回線を介して接続された情報処理装置の電話番号と公衆電話回線を介して接続された出力装置から通知された電話番号とが一致し、当該情報処理装置から通知された識別子と当該出力装置から通知された識別子とが一致した場合、当該出力装置から通知された前記データ識別子によって識別されるデータを当該出力装置に向けて送信することを特徴とする請求項５に記載の出力装置。
【請求項７】
公衆電話回線を介してクライアントと通信可能なデータサーバであって、
複数のデータを記憶する記憶手段と、
公衆電話回線を介して接続された第１のクライアントの電話番号を取得する取得手段と、
前記第１のクライアントから、識別子を受信する第１の受信手段と、
公衆電話回線を介して接続された第２のクライアントから、電話番号と、目的のデータを識別するデータ識別子と、識別子とを受信する第２の受信手段と、
前記取得手段により取得された電話番号と前記第２の受信手段により受信された電話番号とが一致し、前記第１の受信手段により受信された識別子と前記第２の受信手段により受信された識別子とが一致する場合、前記第２の受信手段により受信されたデータ識別子によって識別されるデータを、前記第２のクライアントに送信する送信手段と
を有することを特徴とするデータサーバ。
【請求項８】
情報処理装置と出力装置とが、識別子を共有することにより接続する接続工程と、
前記情報処理装置から前記出力装置へ、データを提供するデータサーバへ接続するための電話番号である第１の電話番号と、該データサーバに格納されている目的のデータを識別するデータ識別子と、前記情報処理装置自体の電話番号である第２の電話番号とを転送する転送工程と、
前記情報処理装置及び前記出力装置が前記第１の電話番号に基づいて公衆電話回線を介して接続を行い、前記データサーバにアクセスするアクセス工程と、
前記情報処理装置が、前記データサーバにアクセスした後、該データサーバに前記識別子を通知する第１の通知工程と、
前記出力装置が、前記データサーバにアクセスした後、該データサーバに前記識別子、前記データ識別子および前記第２の電話番号を通知する第２の通知工程と、
前記データサーバが、前記情報処理装置の電話番号を取得する取得工程と、
前記データサーバが、前記取得工程で取得された電話番号と、前記第２通知工程で通知された第２の電話番号とが一致し、前記第１の通知工程で通知された識別子と前記第２の通知工程で通知された識別子とが一致する場合、前記第２の通知工程で通知されたデータ識別子によって識別されるデータを、前記出力装置に送信する送信工程と
を有することを特徴とする通信方法。
【発明の詳細な説明】
【０００１】
【発明の属する技術分野】
本発明は、個人が所有する、携帯電話などの携帯端末と、コンビニエンスストアなどに設置されているプリンタなどの、公衆が利用可能な出力装置とを含む印刷システムに関する。
【０００２】
【従来の技術】
コンビニエンスストアなどに設置されているプリンタなどの出力装置に、所定のデータサーバに置いてあるデータのＵＲＩ（Ｕｎｉｆｉｅｄ  Ｒｅｓｏｕｒｃｅ  Ｉｄｅｎｔｉｆｉｅｒ）を通知して、該出力装置が、直接データサーバへアクセスしてデータをダウンロードし、出力するようにしたプルプリンティング（Ｐｕｌｌ  Ｐｒｉｎｔｉｎｇ；データ引っ張り型印刷）モデルの印刷システムは、従来から知られている（例えば、特許文献１）。
【０００３】
【特許文献１】
特開２０００−２００２４７号公報
【０００４】
【発明が解決しようとする課題】
しかし、上記従来の印刷システムでは、出力装置がデータサーバにアクセスするために必要なユーザ認証のため、利用者は、データサーバへアクセスするのに必要なユーザＩＤと認証パスワードを、該出力装置のコントロールパネルや外部のホストコンピュータから入力するなどして通知してやる必要があったので、このようなユーザＩＤと認証パスワードの入力の手間と、公衆が利用可能な出力装置への個人情報入力によるセキュリティ情報の漏洩の危険性とが存在していた。
【０００５】
本発明は、この点に着目してなされたものであり、公衆の場所にあるプリンタなどの出力装置による印刷データのプルプリンティングにおけるユーザ認証を、簡易かつ確実に実現することが可能となる印刷システムを提供することを目的とする。
【０００６】
【課題を解決するための手段】
上記目的を達成するため、請求項１に記載の情報処理装置は、情報処理装置であって、公衆電話回線に接続する第１の接続手段と、出力装置と識別子を共有することにより接続する第２の接続手段と、前記第２の接続手段によって接続された出力装置に、データを提供するデータサーバへ接続するための電話番号である第１の電話番号と、該データサーバに格納されている目的のデータを識別するデータ識別子と、前記情報処理装置自体の電話番号である第２の電話番号とを送信する送信手段と、前記第１の電話番号に基づいて前記第１の接続手段を介して接続を行い、前記データサーバにアクセスするアクセス手段と、該アクセス手段によって前記データサーバにアクセスした後、該データサーバに前記識別子を通知する通知手段とを有することを特徴とする。
【０００７】
請求項２に記載の情報処理装置は、請求項１の情報処理装置において、前記出力装置は、前記送信手段により送信された前記第１の電話番号に基づいて公衆電話回線を介して前記データサーバにアクセスし、該データサーバにアクセスした後、該データサーバに前記識別子、前記データ識別子および前記第２の電話番号を通知することを特徴とする。
【０００８】
請求項３に記載の情報処理装置は、請求項２の情報処理装置において、前記データサーバは、公衆電話回線を介して接続された情報処理装置の電話番号と公衆電話回線を介して接続された出力装置から通知された電話番号とが一致し、当該情報処理装置から通知された識別子と当該出力装置から通知された識別子とが一致した場合、当該出力装置から通知された前記データ識別子によって識別されるデータを当該出力装置に向けて送信することを特徴とする。
【０００９】
上記目的を達成するため、請求項４に記載の出力装置は、公衆電話回線に接続する第１の接続手段と、情報処理装置と、識別子を共有することにより接続する第２の接続手段と、前記第２の接続手段によって接続された情報処理装置から、データを提供するデータサーバへ接続するための電話番号である第１の電話番号と、該データサーバに格納されている目的のデータを識別するデータ識別子と、前記情報処理装置自体の電話番号である第２の電話番号とを受信する受信手段と、前記受信手段により受信された前記第１の電話番号に基づいて前記第１の接続手段を介して接続を行い、前記データサーバにアクセスするアクセス手段と、前記アクセス手段によって前記データサーバにアクセスした後、該データサーバに前記識別子、前記データ識別子および前記第２の電話番号を通知する通知手段とを有することを特徴とする。
【００１０】
請求項５に記載の出力装置は、請求項４の出力装置において、前記情報処理装置は、前記第１の電話番号に基づいて公衆電話回線を介して前記データサーバにアクセスし、該データサーバにアクセスした後、該データサーバに前記識別子を通知することを特徴とする。
【００１１】
請求項６に記載の出力装置は、請求項５の出力装置において、前記データサーバは、公衆電話回線を介して接続された情報処理装置の電話番号と公衆電話回線を介して接続された出力装置から通知された電話番号とが一致し、当該情報処理装置から通知された識別子と当該出力装置から通知された識別子とが一致した場合、当該出力装置から通知された前記データ識別子によって識別されるデータを当該出力装置に向けて送信することを特徴とする。
【００１２】
上記目的を達成するため、請求項７に記載のデータサーバは、公衆電話回線を介してクライアントと通信可能なデータサーバであって、複数のデータを記憶する記憶手段と、公衆電話回線を介して接続された第１のクライアントの電話番号を取得する取得手段と、前記第１のクライアントから、識別子を受信する第１の受信手段と、公衆電話回線を介して接続された第２のクライアントから、電話番号と、目的のデータを識別するデータ識別子と、識別子とを受信する第２の受信手段と、前記取得手段により取得された電話番号と前記第２の受信手段により受信された電話番号とが一致し、前記第１の受信手段により受信された識別子と前記第２の受信手段により受信された識別子とが一致する場合、前記第２の受信手段により受信されたデータ識別子によって識別されるデータを、前記第２のクライアントに送信する送信手段とを有することを特徴とする。
【００１３】
上記目的を達成するため、請求項８に記載の通信方法は、情報処理装置と出力装置とが、識別子を共有することにより接続する接続工程と、前記情報処理装置から前記出力装置へ、データを提供するデータサーバへ接続するための電話番号である第１の電話番号と、該データサーバに格納されている目的のデータを識別するデータ識別子と、前記情報処理装置自体の電話番号である第２の電話番号とを転送する転送工程と、前記情報処理装置及び前記出力装置が前記第１の電話番号に基づいて公衆電話回線を介して接続を行い、前記データサーバにアクセスするアクセス工程と、前記情報処理装置が、前記データサーバにアクセスした後、該データサーバに前記識別子を通知する第１の通知工程と、前記出力装置が、前記データサーバにアクセスした後、該データサーバに前記識別子、前記データ識別子および前記第２の電話番号を通知する第２の通知工程と、前記データサーバが、前記情報処理装置の電話番号を取得する取得工程と、前記データサーバが、前記取得工程で取得された電話番号と、前記第２通知工程で通知された第２の電話番号とが一致し、前記第１の通知工程で通知された識別子と前記第２の通知工程で通知された識別子とが一致する場合、前記第２の通知工程で通知されたデータ識別子によって識別されるデータを、前記出力装置に送信する送信工程とを有することを特徴とする。
【００１４】
【発明の実施の形態】
以下、本発明の実施の形態を図面に基づいて詳細に説明する。
【００１５】
図１は、本発明の一実施の形態に係る印刷システムの概略構成を示す図である。
【００１６】
同図において、本実施の形態の印刷システムは、データ送信端末装置２００と、出力装置３００と、データサーバ４００とによって、主として構成され、出力装置３００とデータサーバ４００は、有線公衆電話交換回線網１００を介して接続されている。
【００１７】
有線公衆電話交換回線網１００は、第三者の電気通信事業者によって提供される。
【００１８】
データ送信端末装置２００は、移動無線電話などからなり、利用者が音声や文字などのデータを入力し、該データを、第三者の電気通信事業者が提供する電話受信装置５００を介して公衆電話交換回線網１００に送信できるように構成されている。また、ＩｒＤＡ（赤外線通信）やＢｌｕｅｔｏｏｔｈなどの無線通信インタフェースを１つ以上有し、同様のインタフェースを持つ機器と、短距離の通信が可能となっている。
【００１９】
出力装置３００は、プリンタ機能として、ユーザがＵＲＬ（Ｕｎｉｆｏｒｍ  Ｒｅｓｏｕｒｃｅ  Ｌｏｃａｔｏｒｓ）などのＵＲＩを指示すれば、その印刷要求を受けて、直接データサーバ４００とやり取りして目的のデータにアクセスし、印刷を行うというプルプリンティング機能を有する。また、出力装置３００は、公衆電話交換回線網１００に接続するインタフェースを有し、該回線網１００に接続される他の機器とのデータ交換が可能になっている。さらに、ＩｒＤＡ（赤外線通信）やＢｌｕｅｔｏｏｔｈなどの無線通信インタフェースを１つ以上有し、同様のインタフェースを持つ機器と、短距離の通信が可能となっている。
【００２０】
データサーバ４００は、コンピュータなどからなり、公衆電話交換回線網１００に接続するインタフェースを有し、該回線網１００に接続される他の機器からのアクセス要求を受けて、そのクライアントの認証を行ない、該クライアントからの要求データの送信を行う。
【００２１】
電話受信装置５００は、移動無線電話の有線公衆電話交換回線網１００への中継基地局および電話交換機であり、第三者の電気通信事業者によって提供される。
【００２２】
図２は、データ送信端末装置２００の概略構成を示すブロック図である。
【００２３】
データ送信端末装置２００は、アンテナ２０１で親局とのキャリアの入出力を行い、送受信共用器２０２を介して、送受信のキャリアを、受信器２０５で復調処理を行い、送信器２０３で変調処理を行う。
【００２４】
チャネルデコーダ２０８は、音声情報および制御情報のフォーマット変換および復号化処理を行い、チャネルエンコーダ２０４は、音声情報および制御情報のフォーマット変換および符号化処理を行う。
【００２５】
音声データについては、音声コーデック２０９で、音声の符号処理もしくは復号処理を行い、送受話器２１０で、スピーカ２１１およびマイクロホン２１２とのインターフェース変換を行い、音声通話を行う。
【００２６】
制御回路２０７は、制御情報の作成および解読を行い、呼の設定、解除、維持を行うとともに、操作スイッチ２１３からの入力や表示部２１４への表示制御を行う。また、送受信周波数を制御するシンセサイザ２０６の制御も行う。さらに、図５のフローチャートで示されるような制御プログラム等を記憶する。
【００２７】
操作スイッチ２１３は、ダイヤルボタンを含み、オペレータによる各種操作を可能にする。
【００２８】
Ｂｌｕｅｔｏｏｔｈモジュール２１５は、本装置２００に無線ネットワーキング機能を提供する。
【００２９】
図３は、出力装置３００の概略構成を示すブロック図である。
【００３０】
同図において、ＣＰＵ３０１は、ＲＯＭ３０３のプログラム用ＲＯＭに記憶された制御プログラム等或いは外部メモリ３０８に記憶された制御プログラム等に基づいて、システムバス３０５に接続される各種のデバイスとのアクセスを総括的に制御し、印刷部インタフェース（Ｉ／Ｆ）３０９を介して接続される印刷部（プリンタエンジン）３１０に出力情報としての画像信号を出力する。
【００３１】
また、このＲＯＭ３０３のプログラム用ＲＯＭには、図６のフローチャートで示されるようなＣＰＵ３０１の制御プログラム等が記憶されている。ＲＯＭ３０３のフォント用ＲＯＭには、上記出力情報を生成する際に使用するフォントデータ等が記憶され、ＲＯＭ３０３のデータ用ＲＯＭには、ハードディスク等の外部メモリ３０８が無い出力装置の場合、ホストコンピュ−タ上で利用される情報等が記憶される。
【００３２】
モデム（ＭＯｄｕｌａｔｅｒ−ＤＥＭｏｄｕｌａｔｅｒ）３０４は、デジタルデータを音声信号に変換し、電話回線３１１を介してデータ送信したり、またはその逆に、電話回線３１１を介して受信した音声信号をデジタルデータに変換したりする。
【００３３】
ＲＡＭ３０２は、ＣＰＵ３０１の主メモリおよびワークエリア等として機能するメモリであり、図示しない増設ポートに接続されるオプションＲＡＭによりメモリ容量を拡張することができるように構成されている。なお、ＲＡＭ３０２は、出力情報展開領域、環境データ格納領域およびＮＶＲＡＭ（Ｎｏｎ  Ｖｏｌａｔｉｌｅ  ＲＡＭ）等に用いられる。
【００３４】
ハードディスク（ＨＤ）およびＩＣカード等の外部メモリ３０８は、ディスク制御回路（ＤＫＣ）３０７によりアクセスを制御される。外部メモリ３０８は、オプションとして接続され、フォントデータ、エミュレーションプログラムおよびフォームデータ等を記憶する。
【００３５】
また、操作パネル３０６には、操作のためのスイッチおよびＬＥＤ表示器等が設けられている。
【００３６】
なお、前記外部メモリ３０８は、１個に限らず、少なくとも１個以上備え、内蔵フォントに加えてオプションフォントカード、言語系の異なるプリンタ制御言語を解釈するプログラムを格納した外部メモリを複数接続できるように構成されていても良い。
【００３７】
さらに、図示しないＮＶＲＡＭを有し、操作パネル３０６からのプリンタモード設定情報を記憶するようにしても良い。
【００３８】
Ｂｌｕｅｔｏｏｔｈモジュール３１６は、本出力装置３００に無線ネットワーキング機能を提供する。
【００３９】
図４は、データサーバ４００の概略構成を示すブロック図である。
【００４０】
同図において、データサーバ４００は、ＲＯＭ４０３に記憶されたプログラム等に基づいて処理を実行するＣＰＵ４０１を備え、ＣＰＵ４０１は、システムバス４０４に接続される各デバイスを総括的に制御する。
【００４１】
ＲＡＭ４０２は、ＣＰＵ４０１の主メモリおよびワークエリア等として機能する。
【００４２】
ＲＯＭ４０３は、図７のフローチャートで示されるようなＣＰＵ４０１の制御プログラムや各種データを記憶する。
【００４３】
キーボード制御回路（ＫＢＣ）４０５は、キーボード４０９や不図示のポインティングデバイスからのキー入力を制御する。
【００４４】
ＣＲＴ制御回路（ＣＲＴＣ）４０６は、ＣＲＴディスプレイ（ＣＲＴ）４１０の表示を制御する。
【００４５】
スピーカ制御回路（ＳＰＣ）４１３は、スピーカ４１４の音声再生を制御する。
【００４６】
ディスク制御回路（ＤＫＣ）４０７は、ブートプログラム、種々のアプリケーション、フォントデータ、ユーザファイルおよび編集ファイル等を記憶するハードディスク（ＨＤ）４１１、およびフレキシブルディスク（ＦＤ）４１２等の外部メモリとのアクセスを制御する。
【００４７】
ＩＳＤＮ（Ｉｎｔｅｇｒａｔｅｄ  Ｓｅｒｖｉｃｅｓ  Ｄｉｇｉｔａｌ  Ｎｅｔｗｏｒｋ）モジュール４０８は、所定のＩＳＤＮ回線接続インタフェース４１５を介して有線公衆電話交換回線網１００に接続され、有線公衆電話交換回線網１００に接続される他の機器との通信制御処理を実行する。
【００４８】
以上のように構成された印刷システムが実行する制御処理を、図５〜図７のフローチャートに従って説明する。
【００４９】
図５は、データ送信端末装置２００が実行する制御処理の手順を示すフローチャートである。
【００５０】
同図において、オペレータがデータ送信端末装置２００の操作スイッチ２１３を用いて所定のオペレーションを行うと、データ送信端末装置２００は、Ｂｌｕｅｔｏｏｔｈモジュール２１５による短距離無線で、同一プロトコルを解釈する機器の検索を行なう（ステップＳ１→Ｓ２）。
【００５１】
ステップＳ２の検索により、オペレータが出力したい出力装置、すなわち出力装置３００を見つけ、データ送信端末装置２００の操作スイッチ２１３を用いて所定のオペレーションを行うと、データ送信端末装置２００は、該出力装置３００とＢｌｕｅｔｏｏｔｈプロトコルで無線ネットワーク接続を行なう（ステップＳ３→Ｓ４）。
【００５２】
ステップＳ４での無線ネットワーク接続後、該接続を表す一意なＩＤをコネクションＩＤとして、接続機器と相互に通知しあう（ステップＳ５）。
【００５３】
ステップＳ５での共通のコネクションＩＤによるネゴシエーション後、オペレータがデータ送信端末装置２００の操作スイッチ２１３を用いて所定のオペレーションを行うと、データ送信端末装置２００は、無線ネットワーク接続を行った該出力装置３００へ、印刷を行いたいデータのＵＲＩを印刷データ識別子として、Ｂｌｕｅｔｏｏｔｈモジュール２１５を介して送信する（ステップＳ６→Ｓ７）。
【００５４】
さらに、該印刷データ識別子のデータを提供するデータサーバ４００へダイアルアップ接続するための電話番号を、Ｂｌｕｅｔｏｏｔｈモジュール２１５を介して送信する（ステップＳ８）。
【００５５】
そして、さらに、該データ送信端末装置２００が電話交換回線接続するために割り当てられている電話番号を、Ｂｌｕｅｔｏｏｔｈモジュール２１５を介して送信する（ステップＳ９）。
【００５６】
ステップＳ９でのデータ送信終了により、必要なデータを全て該出力装置３００へ送信し終えた後、該出力装置３００との無線ネットワーク接続を保持したまま、該出力装置３００と同期して、データサーバ４００への前記ダイアルアップ接続番号に、電話発呼を行なって、ダイアルアップ接続を行なう（ステップＳ１０）。
【００５７】
ステップＳ１０でのデータサーバ４００との接続後、前記ステップＳ５で無線ネットワーク接続である該出力装置３００と共有したコネクションＩＤを、送信器２０３を介して送信する（ステップＳ１１）。
【００５８】
ステップＳ１１でのコネクションＩＤ送信後、目的の印刷物の出力完了を見届けたオペレータによるデータ送信端末装置２００の操作スイッチ２１３を用いたオペレーションにより、データ送信端末装置２００と出力装置３００との前記無線ネットワーク接続を切断する（ステップＳ１２→Ｓ１３）。
【００５９】
さらに、オペレータによるデータ送信端末装置２００の操作スイッチ２１３を用いたオペレーションにより、データサーバ４００との前記ダイアルアップ接続を切断し（ステップＳ１４→Ｓ１５）、本制御処理を終了する。
【００６０】
図６は、出力装置３００が実行する制御処理の手順を示すフローチャートである。
【００６１】
同図において、Ｂｌｕｅｔｏｏｔｈプロトコルでの無線ネットワーク接続要求が、Ｂｌｕｅｔｏｏｔｈモジュール３１６を介してあった場合、出力装置３００のＣＰＵ３０１は、無線接続要求があった機器とＢｌｕｅｔｏｏｔｈモジュール３１６を介して無線ネットワーク接続を行う（ステップＳ２１→Ｓ２２）。
【００６２】
ステップＳ２２での無線ネットワーク接続後、該接続を表す同一のコネクションＩＤを該無線ネットワーク接続機器と共有し合う（ステップＳ２３）。
【００６３】
ステップＳ２３でのコネクションＩＤの共有後、Ｂｌｕｅｔｏｏｔｈモジュール３１６を介して、印刷データのＵＲＩを印刷データ識別子として受信し（ステップＳ２４）、さらに、該印刷データ識別子で指し示されるデータをダイアルアップ接続で提供するデータサーバの電話番号を、Ｂｌｕｅｔｏｏｔｈモジュール３１６を介して、受信する（ステップＳ２５）。
【００６４】
そして、さらに、該無線ネットワーク接続先機器の電話番号情報を受信する（ステップＳ２６）。
【００６５】
ステップＳ２６でのデータ受信終了後、無線ネットワーク接続を行っている装置と同期して、前記ステップＳ２５で受信したデータサーバの電話番号に、モデム３０４を介して電話発呼を行ない、ダイアルアップ接続を行なう（ステップＳ２７）。
【００６６】
ステップＳ２７でのデータサーバ４００とのダイアルアップ接続後、前記ステップＳ２３で無線ネットワーク接続機器と共有したコネクションＩＤを、モデム３０４を介して送信し（ステップＳ２８）、データサーバ４００からのデータクセス認証を待つ（ステップＳ２９）。
【００６７】
ステップＳ２９でデータサーバ４００へのデータクセス認証が許可された場合、前記ステップＳ２４で無線ネットワーク接続機器から受信した印刷データ識別子のデータを、該データサーバ４００からダウンロードし（ステップＳ３０）、印刷を行う（ステップＳ３１）。
【００６８】
ステップＳ３１でダウンロードしたデータの印刷終了後（もしくはステップＳ３０でのデータダウンロード終了後）、データサーバ４００との前記ダイアルアップ接続を切断し（ステップＳ３２）、本制御処理を終了する。
【００６９】
図７は、データサーバ４００が実行する制御処理の手順を示すフローチャートである。
【００７０】
同図において、ダイアルアップ接続要求が、ＩＳＤＮモジュール４０８を介して、１つまたは２つあった場合、データサーバ４００のＣＰＵ４０１は、ダイアルアップ接続要求を行った１つまたは２つの機器にアクセスを許可する（ステップＳ４１→Ｓ４２）。
【００７１】
アクセス許可を行った機器が２つになり、かつ２つの機器にそれぞれアクセス許可した時間の差が、たとえば１秒以内の場合、ステップＳ４２でアクセスを許可した２つの発呼元（発呼元１、発呼元２）の電話番号を、ＩＳＤＮ回線接続インタフェース４１５に接続される有線公衆電話交換回線網１００の電話交換機側からの通知によって取得し（ステップＳ４３→Ｓ４４→Ｓ４５）、ステップＳ４５で取得した２つの電話番号のどちらか一方のみがデータベースに登録されたものであるかを検査し（ステップＳ４６）、どちらか一方のみが登録されたものであるときのみ、２つの発呼元からのデータ送信を受け付け、それぞれの発呼元からデータを受け取る（ステップＳ４７）。
【００７２】
ステップＳ４６で該電話番号がデータベースに登録されていることが確認された発呼元を「発呼元１」、登録が確認されなかった発呼元を「発呼元２」として、発呼元２から受信したデータの中に電話番号データが含まれているカードかどうかを検査し（ステップＳ４８）、発呼元２データ内に電話番号データが含まれている場合のみ、該電話番号データがステップＳ４６で登録が確認された発呼元１の電話番号と同一であるカードかどうかを検査し（ステップＳ４９）、電話番号データが同一である場合のみ、両受信データ内にコネクションＩＤデータが含まれており、かつそのそれぞれのコネクションＩＤデータが同一であるカードかどうかを検査し（ステップＳ５０）、コネクションＩＤデータが同一である場合のみ、発呼元２から受信したデータの中に印刷データ識別子（ＵＲＩ）が含まれているカードかどうかを検査し（ステップＳ５１）、発呼元２データ内に印刷データ識別子データが含まれている場合のみ、該印刷データ識別子が示すデータのダウンロードを発呼元２に許可し、該データを発呼元２に送信し（ステップＳ５２）、本制御処理を終了する。
【００７３】
また、前記ステップＳ４２〜Ｓ５２の処理中に、２つの発呼元（発呼元１、発呼元２）のどちらか一方のダイアルアップ接続が切れた場合、直ちにもう一方のダイアルアップ接続を切断し、処理を終了する。
【００７４】
また、前記ステップＳ４４，Ｓ４６，Ｓ４８，Ｓ４９，Ｓ５０およびＳ５１の条件処理において、処理条件が不適切だと判断された場合、直ちに双方のダイアルアップ接続を切断し、処理を終了する。
【００７５】
なお、上述した実施の形態の機能を実現するソフトウェアのプログラムコードを記録した記憶媒体を、システムまたは装置に供給し、そのシステムまたは装置のコンピュータ（またはＣＰＵやＭＰＵ）が記憶媒体に格納されたプログラムコードを読出し実行することによっても、本発明の目的が達成されることは言うまでもない。
【００７６】
この場合、記憶媒体から読出されたプログラムコード自体が本発明の新規な機能を実現することになり、そのプログラムコードを記憶した記憶媒体は本発明を構成することになる。
【００７７】
プログラムコードを供給するための記憶媒体としては、たとえば、フレキシブルディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭなどを用いることができる。また、通信ネットワークを介してサーバコンピュータからプログラムコードが供給されるようにしてもよい。
【００７８】
また、コンピュータが読出したプログラムコードを実行することにより、上述した実施の形態の機能が実現されるだけでなく、そのプログラムコードの指示に基づき、コンピュータ上で稼働しているＯＳなどが実際の処理の一部または全部を行い、その処理によって上述した実施の形態の機能が実現される場合も含まれることは言うまでもない。
【００７９】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって上述した実施の形態の機能が実現される場合も含まれることは言うまでもない。
【００８０】
【発明の効果】
以上説明したように、本発明によれば、公衆の場所に存在する出力装置におけるプルプリンティングの際に必要なデータサーバでのユーザ認証を簡易かつ確実に実現できる。
【図面の簡単な説明】
【図１】本発明の一実施の形態に係る印刷システムの概略構成を示す図である。
【図２】図１の印刷システムを構成するデータ送信端末装置の概略構成を示すブロック図である。
【図３】図１の印刷システムを構成する出力装置の概略構成を示すブロック図である。
【図４】図１の印刷システムを構成するデータ受信装置の概略構成を示すブロック図である。
【図５】図２のデータ送信端末装置が実行する制御処理の手順を示すフローチャートである。
【図６】図３の出力装置が実行する制御処理の手順を示すフローチャートである。
【図７】図４のデータサーバが実行する制御処理の手順を示すフローチャートである。
【符号の説明】
１００  有線公衆電話交換回線網
２００  データ送信端末装置
２０１  アンテナ
２０２  送受信共用器
２０３  送信器
２０４  チャネルエンコーダ
２０５  受信器
２０６  シンセサイザ
２０７  制御回路
２０８  チャネルデコーダ
２０９  音声コーデック
２１０  送受話器
２１１  スピーカ
２１２  マイクロホン
２１３  操作スイッチ
２１４  表示部
２１５  Ｂｌｕｅｔｏｏｔｈモジュール
３００  出力装置
３０１  ＣＰＵ
３０２  ＲＡＭ
３０３  ＲＯＭ
３０４  モデム（ＭＯｄｕｌａｔｅｒ−ＤＥＭｏｄｕｌａｔｅｒ）
３０５  システムバス
３０６  操作パネル
３０７  ディスク制御回路（ＤＫＣ）
３０８  外部メモリ
３０９  印刷部インタフェース
３１０  印刷部（プリンタエンジン）
３１１  電話回線
３１６  Ｂｌｕｅｔｏｏｔｈモジュール
４００  データサーバ
４０１  ＣＰＵ
４０２  ＲＡＭ
４０３  ＲＯＭ
４０４  システムバス
４０５  キーボード制御回路（ＫＢＣ）
４０６  ＣＲＴ制御回路（ＣＲＴＣ）
４０７  ディスク制御回路（ＤＫＣ）
４０８  ＩＳＤＮモジュール
４０９  キーボード
４１０  ＣＲＴディスプレイ（ＣＲＴ）
４１１  ハードディスク（ＨＤ）
４１２  フレキシブルディスク（ＦＤ）
４１３  スピーカ制御回路（ＳＰＣ）
４１４  スピーカ
５００  中継基地局および電話交換機
【図１】
2005004432.tif 000003
【図２】
2005004432.tif 000004
【図３】
2005004432.tif 000005
【図４】
2005004432.tif 000006
【図５】
2005004432.tif 000007
【図６】
2005004432.tif 000008
【図７】
2005004432.tif 000009